(57)【特許請求の範囲】
【請求項１】
入力される調光指示信号に応じて光源を駆動する光源駆動装置であって、
前記調光指示信号として入力されるＰＷＭ調光指示信号又はディジタルアドレッサブル・ライティングインタフェース（ＤＡＬＩ）調光指示信号に応じたシリアル信号を生成するインタフェース回路と、
前記インタフェース回路が生成した前記シリアル信号が前記ＰＷＭ調光指示信号又は前記ＤＡＬＩ調光指示信号のいずれに基づくシリアル信号であるかを判定し、該判定結果に基づいた調光信号を生成する調光制御部と、
前記調光制御部が生成した前記調光信号に応じて、前記光源を駆動する駆動回路部と、
を備えることを特徴とする光源駆動装置。
【請求項２】
前記調光制御部は、
入力される前記シリアル信号が、前記ＰＷＭ調光指示信号又は前記ＤＡＬＩ調光指示信号であるかを判断し、該判断結果に応じてＤＡＬＩ命令情報又はＰＷＭ調光情報を生成する情報判断部と、
前記情報判断部から前記ＤＡＬＩ命令情報が入力されたとき、該ＤＡＬＩ命令情報に基づいて、前記調光信号を生成するＤＡＬＩ調光信号生成部と、
前記情報判断部から前記ＰＷＭ調光情報が入力されたとき、該ＰＷＭ調光情報に基づいて、前記調光信号を生成するＰＷＭ調光信号生成部と、
を備えることを特徴とする請求項１に記載の光源駆動装置。
【請求項３】
前記情報判断部は、
入力された前記シリアル信号の周期を計測し、該計測情報を出力する波形計測部と、
前記波形計測部が出力する前記計測情報を用いて、前記シリアル信号にＤＡＬＩフレームが含まれているかを判断する波形解析部と、
を備えることを特徴とする請求項２の光源駆動装置。
【請求項４】
前記波形解析部は、
入力された前記シリアル信号の周期が所定値以下でかつ、前記シリアル信号に前記ＤＡＬＩフレームが含まれていないときは、前記ＰＷＭ調光情報を前記ＰＷＭ調光信号生成部に出力し、
入力された前記シリアル信号に前記ＤＡＬＩフレームが含まれているときは、前記ＤＡＬＩ命令情報を前記ＤＡＬＩフレーム制御部に出力する、
ことを特徴とする請求項３に記載の光源駆動装置。
【請求項５】
入力される調光指示信号に応じて光源を駆動する方法であって、
前記調光指示信号として入力されるＰＷＭ調光指示信号又はＤＡＬＩ調光指示信号に応じたシリアル信号を生成するシリアル信号生成ステップと、
前記シリアル信号が前記ＰＷＭ調光指示信号又は前記ＤＡＬＩ調光指示信号のいずれに基づくシリアル信号であるかを判定し、該判定結果に基づいた調光信号を生成する調光信号生成ステップと、
前記調光信号に応じて、前記光源を駆動する駆動ステップと、
を備えることを特徴とする光源駆動方法。
【請求項６】
前記調光信号生成ステップは、
前記シリアル信号に基づいて、ＤＡＬＩ命令情報又はＰＷＭ調光情報を生成する情報判断ステップと、
前記シリアル信号が、前記ＤＡＬＩ調光指示信号に基づいたシリアル信号であると判断されたときに、生成された前記ＤＡＬＩ命令情報に基づいて、前記調光信号を生成するＤＡＬＩ調光信号生成ステップと、
前記シリアル信号が、前記ＰＷＭ調光情報に基づいたシリアル信号であると判断されたときに、生成された前記ＰＷＭ調光情報に基づいて、前記調光信号を生成するＰＷＭ調光信号生成ステップと、
を備えることを特徴とする請求項５に記載の光源駆動方法。
【請求項７】
前記情報判断ステップは、
前記シリアル信号にＤＡＬＩフレームが含まれているか否かを判定するＤＡＬＩフレーム判定ステップと、
前記ＤＡＬＩフレーム判定ステップで前記ＤＡＬＩフレームが含まれていないと判定された場合に、前記シリアル信号の周期が所定値以下であるか否かを判定する周期判定ステップと、
を含むことを特徴とする請求項６に記載の光源駆動方法。
【請求項８】
前記情報判断ステップは、
前記シリアル信号の受信を開始した時刻から所定時間が経過するまで、前記ＤＡＬＩフレーム判定ステップ及び前記周期判定ステップを繰り返し行わせる安定度判定ステップをさらに含むことを特徴とする請求項７に記載の光源駆動方法。
【発明の詳細な説明】
【技術分野】
【０００１】
本発明は、光源駆動装置および光源駆動方法に関する。
【背景技術】
【０００２】
従来、光源駆動装置に調光指示信号としてのＰＷＭ信号を入力し、そのオンデューティに応じて光源の調光をする調光方法、或いは調光指示信号として０〜１０Ｖ制御信号を入力し、そのアナログ値に応じて光源の調光をする調光方法が知られている。
【０００３】
一方、近年、ヨーロッパを中心に照明制御システムとして、調光指示信号としてのＤＡＬＩ（ディジタルアドレッサブル・ライティングインタフェース）信号を各光源駆動装置に送信してこれを制御するシステム（ＤＡＬＩシステム）が開発されている。しかし、上記光源駆動装置は、前述の各方式に対応するためにはそれぞれの調光方式に対応した調光制御部と、調光方式を選択するための切り替え手段を設ける必要があるため、部品点数が増加するとともに装置自体も大型化する問題があった。
【０００４】
このような問題を解決するものとして、１つの調光制御部で０〜１０Ｖ制御信号とＤＡＬＩ信号のいずれでも対応できる減光インタフェース回路が提案されている（例えば、特許文献１）。
【先行技術文献】
【特許文献】
【０００５】
【特許文献１】特表２０１２−５０７１１６号公報
【発明の概要】
【発明が解決しようとする課題】
【０００６】
しかしながら、特許文献１に記載の技術では、調光制御部で０〜１０Ｖ制御信号を自動判別するため、つながっていない場合に０Ｖとなってしまい、誤動作の原因となっていた。
【０００７】
本発明はこのような問題に鑑みて行われたものであり、１つの調光制御部でＰＷＭ信号とＤＡＬＩ信号のいずれにも対応できる光源駆動装置および光源駆動方法を提供することを目的とする。
【課題を解決するための手段】
【０００８】
上記課題を解決するために、（１）本発明は、入力される調光指示信号に応じて光源を駆動する光源駆動装置であって、前記調光指示信号として入力されるＰＷＭ調光指示信号又はディジタルアドレッサブル・ライティングインタフェース（ＤＡＬＩ）調光指示信号に応じたシリアル信号を生成するインタフェース回路と、前記インタフェース回路が生成した前記シリアル信号が前記ＰＷＭ調光指示信号又は前記ＤＡＬＩ調光指示信号のいずれに基づくシリアル信号であるかを判定し、該判定結果に基づいた調光信号を生成する調光制御部と、前記調光制御部が生成した前記調光信号に応じて、前記光源を駆動する駆動回路部と、を備える光源駆動装置を提供する。
【０００９】
（２）前記調光制御部は、入力される前記シリアル信号が、前記ＰＷＭ調光指示信号又は前記ＤＡＬＩ調光指示信号であるかを判断し、該判断結果に応じてＤＡＬＩ命令情報又はＰＷＭ調光情報を生成する情報判断部と、前記情報判断部から前記ＤＡＬＩ命令情報が入力されたとき、該ＤＡＬＩ命令情報に基づいて、前記調光信号を生成するＤＡＬＩ調光信号生成部と、前記情報判断部から前記ＰＷＭ調光情報が入力されたとき、該ＰＷＭ調光情報に基づいて、前記調光信号を生成するＰＷＭ調光信号生成部と、を備える（１）に記載の光源駆動装置を提供する。
【００１０】
（３）前記情報判断部は、入力された前記シリアル信号の周期を計測し、該計測情報を出力する波形計測部と、前記波形計測部が出力する前記計測情報を用いて、前記シリアル信号にＤＡＬＩフレームが含まれているかを判断する波形解析部と、を備える（２）に記載の光源駆動装置を提供する。
（４）前記波形解析部は、入力された前記シリアル信号の周期が所定値以下でかつ、前記シリアル信号に前記ＤＡＬＩフレームが含まれていないときは、前記ＰＷＭ調光情報を前記ＰＷＭ調光信号生成部に出力し、入力された前記シリアル信号に前記ＤＡＬＩフレームが含まれているときは、前記ＤＡＬＩ命令情報を前記ＤＡＬＩフレーム制御部に出力する、（３）に記載の光源駆動装置を提供する。
【００１１】
（５）本発明は、入力される調光指示信号に応じて光源を駆動する方法であって、前記調光指示信号として入力されるＰＷＭ調光指示信号又はＤＡＬＩ調光指示信号に応じたシリアル信号を生成するシリアル信号生成ステップと、前記シリアル信号が前記ＰＷＭ調光指示信号又は前記ＤＡＬＩ調光指示信号のいずれに基づくシリアル信号であるかを判定し、該判定結果に基づいた調光信号を生成する調光信号生成ステップと、前記調光信号に応じて、前記光源を駆動する駆動ステップと、を備える光源駆動方法を提供する。
【００１２】
（６）前記調光信号生成ステップは、前記シリアル信号に基づいて、ＤＡＬＩ命令情報又はＰＷＭ調光情報を生成する情報判断ステップと、前記シリアル信号が、前記ＤＡＬＩ調光指示信号に基づいたシリアル信号であると判断されたときに、生成された前記ＤＡＬＩ命令情報に基づいて、前記調光信号を生成するＤＡＬＩ調光信号生成ステップと、前記シリアル信号が、前記ＰＷＭ調光情報に基づいたシリアル信号であると判断されたときに、生成された前記ＰＷＭ調光情報に基づいて、前記調光信号を生成するＰＷＭ調光信号生成ステップと、を備える（５）に記載の光源駆動方法を提供する。
【００１３】
（７）前記情報判断ステップは、前記シリアル信号にＤＡＬＩフレームが含まれているか否かを判定するＤＡＬＩフレーム判定ステップと、前記ＤＡＬＩフレーム判定ステップで前記ＤＡＬＩフレームが含まれていないと判定された場合に、前記シリアル信号の周期が所定値以下であるか否かを判定する周期判定ステップと、を含む（６）に記載の光源駆動方法を提供する。
（８）前記情報判断ステップは、前記シリアル信号の受信を開始した時刻から所定時間が経過するまで、前記ＤＡＬＩフレーム判定ステップ及び前記周期判定ステップを繰り返し行わせる安定度判定ステップをさらに含む（７）に記載の光源駆動方法を提供する。
【発明の効果】
【００１４】
本発明によれば、１つの調光制御部でＰＷＭ信号とＤＡＬＩ信号のいずれにも対応できる光源駆動装置および光源駆動方法を提供することができる。
【図面の簡単な説明】
【００１５】
【図１】本発明の実施形態における光源駆動装置の概略構成を示すブロック図である。
【図２】（ａ）はＰＷＭ調光指示信号Ｓａｄｐに基づいたシリアル信号Ｒｘの波形、（ｂ）はＤＡＬＩ調光指示信号Ｓａｄｄに基づいたシリアル信号Ｒｘ及び（ｃ）はシリアル信号Ｔｘの波形を示している。
【図３】本発明の実施形態に係る情報判断部の構成を示すブロック図である。
【図４】本発明の実施形態に係る光源駆動方法のフローチャートである。
【図５】本発明の実施形態に係る情報判断部の処理を示したフローチャートである。
【発明を実施するための形態】
【００１６】
以下、添付図面を参照して、本発明を実施するための形態（以下、実施形態）について詳細に説明する。なお、実施形態の説明の全体を通して同じ要素には同じ番号を付している。
【００１７】
（実施形態の概略構成）
図１は、本発明の実施形態における光源駆動装置の概略構成を示すブロック図である。
図１に示すように、光源駆動装置１は、インタフェース回路２、調光制御部３及び駆動回路部９を有する。光源駆動装置１は、入力された調光指示信号Ｓａｄに基づいて光源１０を駆動するものである。光源駆動装置１は、調光指示信号Ｓａｄとして、ＰＷＭ調光指示信号Ｓａｄｐ又はＤＡＬＩ調光指示信号Ｓａｄｄが入力され、ＰＷＭ信号及びＤＡＬＩ信号に対応することができる。
【００１８】
インタフェース回路２は、入力されるＰＷＭ調光指示信号Ｓａｄｐ又はＤＡＬＩ調光指示信号Ｓａｄｄに応じたシリアル信号Ｒｘを生成する。調光制御部３は、調光指示信号の種類と光源の明るさに相当する大きさに応じて電流を変化させるものであって、入力されたシリアル信号ＲｘがＰＷＭ調光指示信号Ｓａｄｐ又はＤＡＬＩ調光指示信号Ｓａｄｄに基づいたシリアル信号Ｒｘであるかを判定するとともに、その大きさに基づいた調光信号Ｓｃを生成する。駆動回路部９は、調光信号Ｓｃが入力され、その大きさに応じて光源１０を駆動する。
【００１９】
インタフェース回路２について詳しく説明する。ＤＡＬＩ調光指示信号Ｓａｄｄは、２線間（Ｄ＋,Ｄ−）の電位差を伝達する仕様（すなわち、差動信号）であり、Ｈレベル側の電圧は９．５Ｖ〜２２．５Ｖ、Ｌレベル側の電圧は−６．５Ｖ〜６．５Ｖの電圧変動幅をもっている。ＰＷＭ調光指示信号Ｓａｄｐも同様に、２線間（Ｄ＋,Ｄ−）の電位差を伝達する仕様（すなわち、差動信号）であり、その電圧差は例えば１６Ｖの電圧変動幅をもっている。
【００２０】
調光制御部３は、例えばマイコンで構成され、マイコンの入力部の電圧仕様は例えば５Ｖである。調光指示信号Ｓａｄを出力する例えば調光制御装置と、調光制御部３は電気的に絶縁されていることが要求される。インタフェース回路２は、例えばアナログ回路によって構成され、広い電圧幅をもつ調光指示信号Ｓａｄをマイコンの入力電圧仕様（５Ｖ以下）に対応した信号に変換する機能、差動信号である調光指示信号Ｓａｄを極性のないシリアル信号Ｒｘに変換する機能、電気的に絶縁する機能を有する必要がある。このため、インタフェース回路２は、例えばフォトカプラを用いて構成される。
【００２１】
次に、調光制御部３について説明する。調光制御部３は、情報判断部４、ＤＡＬＩ調光信号生成部５、ＤＡＬＩフレーム制御部６、信号生成部７、ＰＷＭ調光信号生成部８を備える。情報判断部４は、入力されるシリアル信号Ｒｘが、ＰＷＭ調光指示信号Ｓａｄｐ又はＤＡＬＩ調光指示信号Ｓａｄｄのどちらであるかを判断し、その判断結果に応じて、ＤＡＬＩ命令情報Ｓｄ又はＰＷＭ調光情報Ｓｐを生成する。ＤＡＬＩ調光信号生成部５は、情報判断部４からＤＡＬＩ命令情報Ｓｄが入力されたとき、そのＤＡＬＩ命令情報Ｓｄに基づいて、調光信号Ｓｃを生成する。
【００２２】
ＤＡＬＩフレーム制御部６は、ＤＡＬＩ命令情報Ｓｄが入力され、そのＤＡＬＩ命令情報Ｓｄに基づいて、ＤＡＬＩ調光情報Ｓｄｐを生成する。ＤＡＬＩ命令情報Ｓｄは、ＤＡＬＩ調光情報Ｓｄｐ、命令情報及び、チャンネル情報（例えば、光源駆動装置が多数接続されたシステムにおける、光源駆動装置の識別番号やグループ番号）等を含んでいる。すなわち、ＤＡＬＩフレーム制御部６は、ＤＡＬＩ命令情報Ｓｄに含まれる情報を解析した後、調光情報であるＤＡＬＩ調光情報Ｓｄｐを出力する。また、例えば調光制御装置にＤＡＬＩ命令情報Ｓｄに対する応答情報である送信シリアル信号Ｔｘ（後述の図２（ｃ）参照）を出力する。信号生成部７は、ＤＡＬＩ調光情報Ｓｄｐが入力され、そのＤＡＬＩ調光情報Ｓｄｐに基づいて、調光信号Ｓｃを生成する。
【００２３】
ＰＷＭ調光信号生成部８は、情報判断部４からＰＷＭ調光情報Ｓｐが入力されたとき、そのＰＷＭ調光情報Ｓｐに基づいて、調光信号Ｓｃを生成する。
駆動回路部９は、光源１０に対応した直流電力や交流電力を出力することができる周知の構成の電源装置である。すなわち、光源１０が放電灯で構成されている場合は放電灯点灯装置によって構成され、光源１０がＬＥＤで構成されている場合は、ＬＥＤ駆動装置によって構成される。
【００２４】
次に、シリアル信号について説明する。図２はシリアル信号の波形を示す図、（ａ）はＰＷＭ調光指示信号Ｓａｄｐに基づいたシリアル信号Ｒｘの波形を示している。ＰＷＭ調光指示信号Ｓａｄｐの周期は、１ｍｓ（＝１ｋＨｚ）に設定されている。図２（ｂ）、（ｃ）は、ＤＡＬＩ調光指示信号Ｓａｄｄに基づいたシリアル信号Ｒｘ及びシリアル信号Ｔｘの波形を示している。
【００２５】
ＤＡＬＩ通信規格は、マンチェスタ符号化（ビット１または０の定義がＨ／Ｌといった電圧レベルではなく、電圧変化のエッジで行う符号化法）されたＦｏｒｗａｒｄフレーム（後述のＤＡＬＩフレーム）及びＢａｃｋｗａｒｄフレームと呼ばれるパルス信号を送受信することで通信が行われる。ＤＡＬＩ調光指示信号Ｓａｄｄを出力する調光制御装置から調光制御部３に送信される信号がＦｏｒｗａｒｄフレーム、その逆がＢａｃｋｗａｒｄフレームである。Ｆｏｒｗａｒｄフレーム及びＢａｃｋｗａｒｄフレームの区間におけるパルス信号の周波数は、ＰＷＭ信号（ａ）に比べて高い周波数を含む波形となる。そのため、便宜的に黒く表示している。
【００２６】
各フレームの送信タイミングの特徴は、フレーム間には所定の時間の休止区間を設定しなければならないという規則があるということである。すなわち、シリアル信号Ｒｘ（ｂ）において、ＦｏｒｗａｒｄフレームとＦｏｒｗａｒｄフレームの間は９．１７ｍｓ以上の休止区間があり、この休止時間を検出することによって、シリアル信号Ｒｘが、ＰＷＭ調光指示信号Ｓａｄｐに基づいた信号であるか、ＤＡＬＩ調光指示信号Ｓａｄｄに基づいた信号であるかを判定することができる。なお、図２の波形は負論理（ローアクティブ）である。フレームが無い場合には、信号がハイレベルになる。
【００２７】
次に、シリアル信号Ｒｘの判定方法について説明する。図３は、本発明の実施形態に係る情報判断部の構成を示すブロック図である。図３に示すように、情報判断部４は、波形計測部２１及び波形解析部２２を有する。
波形計測部２１は、例えばタイマー回路によって構成され、入力されたシリアル信号Ｒｘの周期を計測し、その計測情報を出力する。波形解析部２２は、波形計測部２１からの計測情報を用いて、シリアル信号ＲｘにＤＡＬＩフレームが含まれているかを判断する。波形計測部２１及び波形解析部２２によって、入力されたシリアル信号Ｒｘが、ＰＷＭ調光指示信号Ｓａｄｐ又はＤＡＬＩ調光指示信号Ｓａｄｄに基づいた信号であるかを判定することができる。
【００２８】
次に、本発明の実施形態に係る光源駆動方法のフローチャートである。図４は、本発明の実施形態に係る光源駆動方法について説明するための図である。シリアル信号生成ステップＳ１において、調光指示信号として入力されるＰＷＭ調光指示信号Ｓａｄｐ又はＤＡＬＩ調光指示信号Ｓａｄｄに応じたシリアル信号Ｒｘを生成する。調光信号生成ステップＳ２において、シリアル信号ＲｘがＰＷＭ調光指示信号Ｓａｄｐ又はＤＡＬＩ調光指示信号Ｓａｄｄに基づいたシリアル信号Ｒｘであるかを判定し、その判定結果に基づいた調光信号Ｓｃを生成する。
【００２９】
調光信号生成ステップＳ２では、情報判断ステップＳ２ａ、ＤＡＬＩ調光信号生成ステップＳ２ｂ及びＰＷＭ調光信号生成ステップＳ２ｃを有する。情報判断ステップＳ２ａにおいて、シリアル信号Ｒｘに基づいて、ＤＡＬＩ命令情報Ｓｄ又はＰＷＭ調光情報Ｓｐのどちらか一方を生成する。ＤＡＬＩ調光信号生成ステップＳ２ｂにおいて、シリアル信号Ｒｘが、ＤＡＬＩ調光指示信号Ｓａｄｄに基づいたシリアル信号Ｒｘであると判断されたときに、生成されたＤＡＬＩ命令情報Ｓｄに基づいて、調光信号Ｓｃを生成する。ＰＷＭ調光信号生成ステップＳ２ｃにおいて、シリアル信号Ｒｘが、ＰＷＭ調光情報Ｓｐに基づいたシリアル信号Ｒｘであると判断されたときに、生成されたＰＷＭ調光情報Ｓｐに基づいて、調光信号Ｓｃを生成する。駆動ステップＳ３では、調光信号Ｓｃに応じて、光源１０を駆動する。
【００３０】
図５は、情報判断部４の処理を示したフローチャートである。本実施形態では、シリアル信号Ｒｘの周期の所定値を８ｍｓ、受信開始時刻からの所定時間を１ｓとして説明する。ステップＳ１１において、波形計測部２１は、シリアル信号Ｒｘの受信し、その周期の測定を開始するとともに、受信開始時刻を記憶する。また、情報判断部４は、エラーフラグ（ｅｒｒｏｒ  ｆｌａｇ）メモリーを初期化する。
【００３１】
ステップＳ１２において、波形解析部２２は、受信したシリアル信号Ｒｘが、ＤＡＬＩ通信規格に基づいたＤＡＬＩフレームを含んでいるかを判定している（ＤＡＬＩフレーム判定ステップ）。すなわち、波形解析部２２は、受信したシリアル信号ＲｘにＤＡＬＩフレームが含まれると判定した場合は、ステップＳ１３に進み、ＤＡＬＩ調光モードに設定するとともに、ＤＡＬＩ命令情報ＳｄをＤＡＬＩフレーム制御部６に出力する。波形解析部２２は、受信したシリアル信号ＲｘにＤＡＬＩフレームが含まれていないと判定した場合は、ステップＳ１４に進む。
【００３２】
ステップＳ１４において、波形解析部２２は、シリアル信号Ｒｘに休止区間（９．１７ｍｓ）があるか否かを判定している（周期判定ステップ）。すなわち、波形解析部２２は、波形計測部２１で測定した周期の計測情報から周期が８ｍｓ以下であるか否かを判定することによって、休止区間の有無を判定している。波形解析部２２は、シリアル信号Ｒｘの周期が８ｍｓを超えている場合は、休止区間があると判断してステップＳ１５に進むとともに、エラーフラグを立てる。波形解析部２２は、シリアル信号Ｒｘの周期が８ｍｓ以下の場合は、休止区間が無いと判断してステップＳ１６に進む。
【００３３】
ステップＳ１６において、波形解析部２２は、シリアル信号Ｒｘの受信を開始した時刻から所定時間が経過するまで、ステップＳ１２および、ステップＳ１４を繰り返し行わせ、シリアル信号Ｒｘの安定度を判定する（安定度判定ステップ）。すなわち、波形解析部２２は、受信開始時刻から１ｓ以上経過するまで、ステップＳ１２及び、ステップＳ１４の処理を繰り返し行うことによって、照明駆動装置の起動時等に、シリアル信号Ｒｘにノイズ等が重畳して誤った信号が情報判断部４に入力された場合に、その信号を排除している。
ステップＳ１７において、波形解析部２２は、エラーフラグが立っている場合は、ステップＳ１９に進み、ＤＡＬＩ調光モードに設定するとともに、ＤＡＬＩ命令情報Ｓｄを出力する。波形解析部２２は、エラーフラグが立っていない場合は、ステップＳ１８に進み、ＰＷＭ調光モードに設定するとともに、ＰＷＭ調光情報ＳｐをＰＷＭ調光信号生成部８に出力する。このようにして簡単な構成でＰＷＭ信号及びＤＡＬＩ信号に対応できる。
【００３４】
本発明の実施形態によれば、光源駆動装置１は、ＰＷＭ調光指示信号Ｓａｄｐ又はＤＡＬＩ調光指示信号Ｓａｄｄを調光指示信号Ｓａｄとして入力して、その調光指示信号Ｓａｄに対応するシリアル信号Ｒｘを共通の調光制御部３に入力することができる。すなわち、それぞれの調光方式に対応した調光制御部と、調光方式を選択するための切り替え手段を備える必要がない。そのため、調光回路が簡素化でき、その分、部品点数が削減でき、装置を小型化することができる。
【００３５】
上記実施形態において、ＰＷＭ調光指示信号Ｓａｄｐの周波数は、例示であって１ｋＨｚに限定されるものではない。また、シリアル信号Ｒｘの周期の所定値（８ｍｓ）及び受信開始時刻からの所定時間（１ｓ）は、例示であって実施形態の値に限定されるものではない。さらに、図２の波形は、例示であって負論理（ローアクティブ）に限定されるものではない。
【００３６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３７】
１  光源駆動装置
２  インタフェース回路
３  調光制御部
４  情報判断部
５  ＤＡＬＩ調光信号生成部
６  ＤＡＬＩフレーム制御部
７  信号生成部
８  ＰＷＭ調光信号生成部
９  駆動回路部
１０  光源
【図１】
0006054901.tif 000002
【図２】
0006054901.tif 000003
【図３】
0006054901.tif 000004
【図４】
0006054901.tif 000005
【図５】
0006054901.tif 000006